(57)【要約】  大きな開口数を有しながらも、像倒れの補正に伴って生じる結像性能の劣化が抑えられた対物光学系及びそれを用いた硬性鏡用光学系、硬性鏡を提供する。  対物光学系ＯＢＪは、物体側から順に、正の屈折力を有する前群ＧＦと、後群ＧＲと、からなり、前群ＧＦは、物体側から順に、負の屈折力を有する第１レンズＬ１と、正の屈折力を有する第２レンズＬ２と、正の屈折力を有する第３レンズＬ３と、を有し、後群ＧＲは、１つのレンズ、又は複数のレンズを有し、以下の条件式（１）を満足する。  ｜（ＦＬag−ＦＬaC）／ＦＬad｜＜０．０５      （１）  ここで、  ＦＬadは、前群のｄ線における焦点距離、  ＦＬagは、前群のｇ線における焦点距離、  ＦＬaCは、前群のＣ線における焦点距離、である。
2019239578.tif 000002
【特許請求の範囲】
【請求項１】
物体側から順に、正の屈折力を有する前群と、後群と、からなり、
前記前群は、物体側から順に、負の屈折力を有する第１レンズと、正の屈折力を有する第２レンズと、正の屈折力を有する第３レンズと、を有し、
前記後群は、１つのレンズ、又は複数のレンズを有し、
以下の条件式（１）を満足することを特徴とする対物光学系。
｜（ＦＬag−ＦＬaC）／ＦＬad｜＜０．０５      （１）
ここで、
ＦＬadは、前記前群のｄ線における焦点距離、
ＦＬagは、前記前群のｇ線における焦点距離、
ＦＬaCは、前記前群のＣ線における焦点距離、
である。
【請求項２】
以下の条件式（２）を満足することを特徴とする請求項１に記載の対物光学系。
０．５＜ＦＬob／ＦＬad＜２      （２）
ここで、
ＦＬobは、前記対物光学系のｄ線における焦点距離、
ＦＬadは、前記前群のｄ線における焦点距離、
である。
【請求項３】
以下の条件式（３）を満足することを特徴とする請求項１に記載の対物光学系。
｜ＦＬob／Ｒ｜＜０．１      （３）
ここで、
ＦＬobは、前記対物光学系のｄ線における焦点距離、
Ｒは、前記後群の最も物体側の面の曲率半径、
である。
【請求項４】
物体側から順に、正の屈折力を有する前群と、後群と、からなり、
前記前群は、物体側から順に、負の屈折力を有する第１レンズと、正の屈折力を有する第２レンズと、正の屈折力を有する第３レンズと、を有し、
前記後群は、１つのレンズ、又は複数のレンズを有し、
以下の条件式（４）を満足することを特徴とする対物光学系。
｜｛（１−βg）×γg−（１−βC）×γC｝／｛（１−βd）×γd｝｜＜０．０５      （４）
ここで、
βdは、前記前群のｄ線における結像倍率、
βgは、前記前群のｇ線における結像倍率、
βCは、前記前群のＣ線における結像倍率、
γdは、前記後群のｄ線における結像倍率、
γgは、前記後群のｇ線における結像倍率、
γCは、前記後群のＣ線における結像倍率、
である。
【請求項５】
前記第３レンズは、単レンズ、又は接合レンズからなることを特徴とする請求項１又は４に記載の対物光学系。
【請求項６】
前記第３レンズは、接合レンズであって、
前記接合レンズは、物体側から順に、負レンズと、正レンズと、からなることを特徴とする請求項５に記載の対物光学系。
【請求項７】
前記前群は、前記第１レンズと、前記第２レンズと、前記第３レンズと、からなることを特徴とする請求項１又は４に記載の対物光学系。
【請求項８】
請求項１から７のいずれか一項に記載の対物光学系と、
リレー光学系と、
接眼光学系と、を有することを特徴とする硬性鏡用光学系。
【請求項９】
請求項８に記載の硬性鏡用光学系と、
照明光学系と、を有することを特徴とする硬性鏡。
【発明の詳細な説明】
【技術分野】
【０００１】
本発明は、対物光学系及びそれを用いた硬性鏡用光学系、硬性鏡に関する。【０００２】
近年、硬性鏡を用いた診断では、診断精度の向上が望まれている。この要求に応えるために、硬性鏡には、高解像度で物体（対象物）を観察できることや、高画質で物体の画像を取得できることが望まれている。【０００３】
具体的には、例えば、ＨＤＴＶ対応の内視鏡システムによる画像の取得や、４Ｋ対応の内視鏡システムによる画像の取得が望まれている。【０００４】
内視鏡システムは、例えば、硬性鏡、ＴＶカメラヘッド、カメラコントロールユニット及びディスプレイで構成される。画像の画質の高精細化のために光学系に求められる要件としては、高い開口数を持つことと、色収差が良好に補正されていることがある。【０００５】
レンズの加工や光学系の組立てで製造誤差が生じると、結像性能が劣化する。結像性能の劣化としては、例えば、像の片ぼけがある。像の片ぼけは、像面が光軸に対して傾くことによって生じる。以下、像面が光軸に対して傾いた状態を、像倒れという。画像の画質の高精細化のために光学系に求められる要件としては、像倒れが良好に補正されていることがある。【０００６】
物体の観察や物体の画像の取得は、硬性鏡内に配置された硬性鏡用光学系を介して行われる。物体の画像の取得では、例えば、硬性鏡用光学系にカメラヘッドが接続される。カメラヘッドには、撮像素子として、例えば、ＣＣＤ（Charge  Coupled  Devices）やＣ−ＭＯＳ（Complementary  Metal  Oxide  Semiconductor）が用いられる。【０００７】
硬性鏡用光学系は、対物レンズと、接眼レンズと、複数のリレー光学系と、を有する。複数のリレー光学系は、対物レンズと接眼レンズの間に配置されている。【０００８】
硬性鏡用光学系として、特許文献１に記載の硬性鏡用光学系や、特許文献２に記載の硬性鏡用光学系がある。【０００９】
特許文献１には、レンズを偏心させて、像倒れを補正することが開示されている。特許文献２には、ＨＤＴＶカメラに対応し得る画質を有する硬性鏡用光学系が開示されている。
【先行技術文献】
【特許文献】
【００１０】
【特許文献２】特開平１０−１１５７８８号公報
【特許文献１】特開平１１−１４２７２９号公報
【発明の概要】
【発明が解決しようとする課題】
【００１１】
特許文献１では、最も物体側の凹レンズを光軸と垂直な方向に偏心させて、像倒れを補正している。しかしながら、最も物体側の凹レンズは、大きな屈折力を有する。そのため、最も物体側の凹レンズで像倒れを補正すると、色ずれが発生する。また、偏心コマが発生する。【００１２】
色ずれが生じると、視野の中心において、点像のパターンの形成される位置が、波長によって異なる。偏心コマが生じると、視野の中心において、点像のパターンは、偏心方向に尾を引く形状になる。【００１３】
特許文献２に記載の硬性鏡用光学系は、大きな開口数を有する。そのため、製造誤差による影響を大きく受ける。例えば、像倒れが生じた場合、特許文献１と同じように像倒れを補正すると、色ずれが発生する。また、偏心コマが発生する。【００１４】
本発明は、このような課題に鑑みてなされたものであって、大きな開口数を有しながらも、像倒れの補正に伴って生じる結像性能の劣化が抑えられた対物光学系及びそれを用いた硬性鏡用光学系、硬性鏡を提供することを目的とする。
【課題を解決するための手段】
【００１５】
上述した課題を解決し、目的を達成するために、本発明の少なくとも幾つかの実施形態に係る対物光学系は、
物体側から順に、正の屈折力を有する前群と、後群と、からなり、
前群は、物体側から順に、負の屈折力を有する第１レンズと、正の屈折力を有する第２レンズと、正の屈折力を有する第３レンズと、を有し、
後群は、１つのレンズ、又は複数のレンズを有し、
以下の条件式（１）を満足することを特徴とする。
｜（ＦＬag−ＦＬaC）／ＦＬad｜＜０．０５      （１）
ここで、
ＦＬadは、前群のｄ線における焦点距離、
ＦＬagは、前群のｇ線における焦点距離、
ＦＬaCは、前群のＣ線における焦点距離、
である。【００１６】
また、本発明の少なくとも幾つかの実施形態に係る別の対物光学系は、
物体側から順に、正の屈折力を有する前群と、後群と、からなり、
前群は、物体側から順に、負の屈折力を有する第１レンズと、正の屈折力を有する第２レンズと、正の屈折力を有する第３レンズと、を有し、
後群は、１つのレンズ、又は複数のレンズを有し、
以下の条件式（４）を満足することを特徴とする。
｜｛（１−βg）×γg−（１−βC）×γC｝／｛（１−βd）×γd｝｜＜０．０５      （４）
ここで、
βdは、前群のｄ線における結像倍率、
βgは、前群のｇ線における結像倍率、
βCは、前群のＣ線における結像倍率、
γdは、後群のｄ線における結像倍率、
γgは、後群のｇ線における結像倍率、
γCは、後群のＣ線における結像倍率、
である。【００１７】
また、本発明の少なくとも幾つかの実施形態に係る硬性鏡用光学系は、
上述の対物光学系と、
リレー光学系と、
接眼光学系と、を有することを特徴とする。【００１８】
また、本発明の少なくとも幾つかの実施形態に係る硬性鏡は、
上述の硬性鏡用光学系と、
照明光学系と、を有することを特徴とする。
【発明の効果】
【００１９】
本発明によれば、大きな開口数を有しながらも、像倒れの補正に伴って生じる結像性能の劣化が抑えられた対物光学系及びそれを用いた硬性鏡用光学系、硬性鏡を提供することができる。
【図面の簡単な説明】
【００２０】
【図１】実施例１の対物光学系のレンズ断面図である。
【図２】実施例２の対物光学系のレンズ断面図である。
【図３】実施例３の対物光学系のレンズ断面図である。
【図４】実施例４の対物光学系のレンズ断面図である。
【図５】実施例５の対物光学系のレンズ断面図である。
【図６】実施例６の対物光学系のレンズ断面図である。
【図７】実施例１の対物光学系の収差図である。
【図８】実施例２の対物光学系の収差図である。
【図９】実施例３の対物光学系の収差図である。
【図１０】実施例４の対物光学系の収差図である。
【図１１】実施例５の対物光学系の収差図である。
【図１２】実施例６の対物光学系の収差図である。
【図１３】実施例１の硬性鏡用光学系のレンズ断面図である。
【図１４】実施例２の硬性鏡用光学系のレンズ断面図である。
【図１５】実施例３の硬性鏡用光学系のレンズ断面図である。
【図１６】実施例４の硬性鏡用光学系のレンズ断面図である。
【図１７】実施例５の硬性鏡用光学系のレンズ断面図である。
【図１８】実施例６の硬性鏡用光学系のレンズ断面図である。
【図１９】実施例１の硬性鏡用光学系の収差図である。
【図２０】実施例２の硬性鏡用光学系の収差図である。
【図２１】実施例３の硬性鏡用光学系の収差図である。
【図２２】実施例４の硬性鏡用光学系の収差図である。
【図２３】実施例５の硬性鏡用光学系の収差図である。
【図２４】実施例６の硬性鏡用光学系の収差図である。
【図２５】硬性鏡の概略構成図である。
【発明を実施するための形態】
【００２１】
実施例の説明に先立ち、本発明のある態様にかかる実施形態の作用効果を説明する。なお、本実施形態の作用効果を具体的に説明するに際しては、具体的な例を示して説明することになる。しかし、後述する実施例の場合と同様に、それらの例示される態様はあくまでも本発明に含まれる態様のうちの一部に過ぎず、その態様には数多くのバリエーションが存在する。したがって、本発明は例示される態様に限定されるものではない。
【００２２】
第１実施形態の対物光学系と第２実施形態の対物光学系について説明する。第１実施形態の対物光学系と第２実施形態の対物光学系は、共通構成を有する。
【００２３】
共通構成は、物体側から順に、正の屈折力を有する前群と、後群と、からなり、前群は、物体側から順に、負の屈折力を有する第１レンズと、正の屈折力を有する第２レンズと、正の屈折力を有する第３レンズと、を有し、後群は、１つのレンズ、又は複数のレンズを有する。
【００２４】
対物光学系では、物体の実像が形成される。そのため、対物光学系は、全体として正の屈折力を有する。一方、広い視野を確保するためには、対物光学系では、画角の大きな光線を結像できなくてはならない。そのため、対物光学系の最も物体側には、負の屈折力を有するレンズが配置されていることが好ましい。
【００２５】
共通構成は、物体側から順に、正の屈折力を有する前群と、後群と、からなる。前群は、物体側から順に、負の屈折力を有する第１レンズと、正の屈折力を有する第２レンズと、正の屈折力を有する第３レンズと、を有する。
【００２６】
このように、共通構成では、最も物体側に、負の屈折力を有する第１レンズが配置されている。よって、広い視野を確保できる。
【００２７】
広い視野を確保するために、第１レンズには、大きな負の屈折力を持たせている。そのため、第１レンズでは、大きな収差が発生する。共通構成では、前群に、正の屈折力を有する第２レンズと、正の屈折力を有する第３レンズとが、配置されている。よって、第１レンズで発生した収差を、第２レンズと第３レンズとで良好に補正できる。その結果、前群で発生する収差を抑制できる。
【００２８】
第３レンズは、接合レンズにすることができる。接合レンズは、正レンズと、負レンズと、を有する。正レンズは、両凸レンズであると良い。負レンズは、メニスカスレンズであると良い。
【００２９】
上述のように、レンズの加工や光学系の組立てで製造誤差が生じると、像倒れが生じる。像倒れは、レンズを偏心させることで補正できる。第１レンズには、大きな負の屈折力を持たせている。そのため、第１レンズだけを偏心させると、像倒れは補正できても、偏心コマや色ずれが発生する。
【００３０】
共通構成では、前群で発生する収差が抑制されている。そこで、共通構成では、前群を偏心させて像倒れを補正している。前群では、収差の発生が抑制されている。よって、前群を偏心させても、偏心コマの発生や色ずれの発生を抑制できる。
【００３１】
第１実施形態の対物光学系は、上述の共通構成を有すると共に、以下の条件式（１）を満足することを特徴とする。
｜（ＦＬag−ＦＬaC）／ＦＬad｜＜０．０５      （１）
ここで、
ＦＬadは、前群のｄ線における焦点距離、
ＦＬagは、前群のｇ線における焦点距離、
ＦＬaCは、前群のＣ線における焦点距離、
である。
【００３２】
光学系の組立てでは、必要に応じて、像倒れの調整が行われる。第１実施形態の対物光学系では、前群を偏心させて、像倒れを少なくする。前群の偏心によって、色ずれが生じる。条件式（１）を満足すると、前群における色収差を良好に補正できる。よって、前群を偏心させても、色ずれの発生を抑えられる。
【００３３】
条件式（１）は、前群の焦点距離をｇ線とＣ線に関して規定した条件式である。条件式（１）の上限値を上回る場合、色ずれの発生が大きくなる。
【００３４】
条件式（１）に代えて、以下の条件式（１’）を満足することが好ましい。
｜（ＦＬag−ＦＬaC）／ＦＬad｜＜０．０３      （１’）
【００３５】
第１実施形態の対物光学系は、以下の条件式（２）を満足することが好ましい。
０．５＜ＦＬob／ＦＬad＜２      （２）
ここで、
ＦＬobは、対物光学系のｄ線における焦点距離、
ＦＬadは、前群のｄ線における焦点距離、
である。
【００３６】
条件式（２）は、前群の焦点距離、すなわち、前群の屈折力を規定した条件式ある。前群の焦点距離は、偏心コマの低減に影響する。条件式（２）は、偏心コマの低減に関する条件式ということができる。
【００３７】
上述のように、光学系の組立てでは、必要に応じて、像倒れの調整が行われる。第１実施形態の対物光学系では、前群を偏心させて、像倒れを少なくする。前群の偏心によって、偏心コマが生じる。条件式（２）を満足すると、前群におけるコマ収差を良好に補正できる。よって、前群を偏心させても、偏心コマの発生を抑えられる。
【００３８】
値が条件式（２）の上限値を上回る場合、前群における正の屈折力が大きくなる。この場合、偏心コマが発生しやすくなる。
【００３９】
値が条件式（２）の下限値を下回る場合、前群における正の屈折力が小さくなる。前群における正の屈折力が小さくなることは、偏心コマの低減には有利である。しかしながら、この場合、前群の位置の変化に対する像倒れの量の変化が小さくなる。よって、像倒れを十分に補正できない。
【００４０】
条件式（２）に代えて、以下の条件式（２’）を満足することが好ましい。
０．７＜ＦＬob／ＦＬad＜１．７      （２’）
【００４１】
第１実施形態の対物光学系は、以下の条件式（３）を満足することが好ましい。
｜ＦＬob／Ｒ｜＜０．１      （３）
ここで、
ＦＬobは、対物光学系のｄ線における焦点距離、
Ｒは、後群の最も物体側の面の曲率半径、
である。
【００４２】
条件式（３）は、後群の最も物体側の面の曲率半径を規定する条件式である。
【００４３】
上述のように、光学系の組立てでは、必要に応じて、像倒れの調整が行われる。この調整では、前群を偏心させて、像倒れを少なくする。条件式（３）を満足することで、高い精度で前群を偏心させることができる。その結果、色ずれの発生や偏心コマの発生を抑制しつつ、像倒れを良好に補正できる。
【００４４】
条件式（３）の上限値を上回る場合、高い精度で前群を偏心させることが困難になる。そのため、色ずれの発生や偏心コマの発生の抑制と、像倒れの良好な補正を両立させることが困難になる。
【００４５】
条件式（３）に代えて、以下の条件式（３’）を満足することが好ましい。
｜ＦＬob／Ｒ｜＜０．０５      （３’）
【００４６】
第２実施形態の対物光学系は、上述の共通構成を有すると共に、以下の条件式（４）を満足することを特徴とする。
｜｛（１−βg）×γg−（１−βC）×γC｝／｛（１−βd）×γd｝｜＜０．０５      （４）
ここで、
βdは、前群のｄ線における結像倍率、
βgは、前群のｇ線における結像倍率、
βCは、前群のＣ線における結像倍率、
γdは、後群のｄ線における結像倍率、
γgは、後群のｇ線における結像倍率、
γCは、後群のＣ線における結像倍率、
である。
【００４７】
条件式（４）は、前群の結像倍率と後群の結像倍率をｇ線とＣ線に関して規定した条件式である。条件式（４）の上限値を上回る場合、色ずれが発生しやすくなる。
【００４８】
条件式（４）に代えて、以下の条件式（４’）を満足することがより好ましい。
｜｛（１−βg）×γg−（１−βC）×γC｝／｛（１−βd）×γd｝｜０．０３      （４’）
【００４９】
第１実施形態の対物光学系と第２実施形態の対物光学系（以下、「本実施形態の対物光学系」という）では、第３レンズは、単レンズ、又は接合レンズからなることが好ましい。
【００５０】
像倒れを補正しても、色ずれの発生を抑制できる。
【００５１】
本実施形態の対物光学系では、第３レンズは、接合レンズであって、接合レンズは、物体側から順に、負レンズと、正レンズと、からなることが好ましい。
【００５２】
像倒れを補正しても、色ずれの発生を、更に抑制できる。
前群における色収差を良好に補正できる。
【００５３】
本実施形態の対物光学系では、前群は、第１レンズと、第２レンズと、第３レンズと、からなることが好ましい。
【００５４】
前群の全長を短くできる。
【００５５】
本実施形態の硬性鏡用光学系は、本実施形態の対物光学系と、リレー光学系と、接眼光学系と、を有することを特徴とする。
【００５６】
本実施形態の硬性鏡用光学系によれば、大きな開口数を有しながらも、像倒れの補正に伴って生じる結像性能の劣化が抑えられた硬性鏡用光学系を実現することができる。
【００５７】
本実施形態の硬性鏡用光学系で形成された像は、例えば、撮像素子で撮像することができる。本実施形態の硬性鏡用光学系は、高い分解能を有すると共に、像倒れの発生、色ずれの発生、及び偏心コマの発生が抑制されている。よって、本実施形態の硬性鏡用光学系で形成された像を撮像素子で撮像することで、高精細な画像を取得することができる。
【００５８】
本実施形態の硬性鏡は、本実施形態の硬性鏡用光学系と、照明光学系と、を有することを特徴とする。
【００５９】
本実施形態の硬性鏡によれば、大きな開口数を有しながらも、像倒れの補正に伴って生じる結像性能の劣化が抑えられた光学像を観察することができる。
【００６０】
本実施形態の硬性鏡は、例えば、撮像装置と組み合わせることができる。この場合、硬性鏡用光学系で形成された像を、撮像素子で撮像することができる。本実施形態の硬性鏡用光学系は、高い分解能を有すると共に、像倒れの発生、色ずれの発生、及び偏心コマの発生が抑制されている。よって、本実施形態の硬性鏡用光学系で形成された像を撮像素子で撮像することで、高精細な画像を取得することができる。
【００６１】
以下に、対物光学系、硬性鏡用光学系及び硬性鏡の実施例を、図面に基づいて詳細に説明する。なお、この実施例によりこの発明が限定されるものではない。
【００６２】
対物光学系の実施例について説明する。図１乃至図６は、各実施例の対物光学系のレンズ断面図である。各実施例のレンズ断面図には、軸上マージナル光線と最大像高の主光線が示されている。Ｉｏは物体の像である。後述のように、対物光学系がリレー光学系と共に用いられる場合、Ｉｏは１次像になる。
【００６３】
図７乃至図１２は、各実施例の対物光学系の収差図である。各実施例の収差図において、（ａ）は球面収差（ＳＡ）、（ｂ）は非点収差（ＡＳ）、（ｃ）は倍率色収差（ＣＣ）、（ｄ）は歪曲収差（ＤＴ）を示している。
【００６４】
実施例１の対物光学系は、物体側から順に、前群ＧＦと、後群ＧＲと、を有する。前群ＧＦは、物体側に凸面を向けた負メニスカスレンズＬ１と、平凸正レンズＬ２と、物体側に凸面を向けた負メニスカスレンズＬ３と、両凸正レンズＬ４と、を有する。後群ＧＲは、平凹負レンズＬ５と、両凸正レンズＬ６と、を有する。
【００６５】
負メニスカスレンズＬ３と両凸正レンズＬ４とが接合されている。平凹負レンズＬ５と両凸正レンズＬ６とが接合されている。
【００６６】
負メニスカスレンズＬ１の物体側に、平行平板Ｃ１が配置されている。平凸正レンズＬ２の物体側に、プリズムＰ１と、プリズムＰ２と、が配置されている。プリズムＰ１は、プリズムＰ２と接合されている。プリズムＰ２は、平凸正レンズＬ２と接合されている。
【００６７】
非球面は、負メニスカスレンズＬ１の両面と、平凸正レンズＬ２の像側面と、の合計３面に設けられている。
【００６８】
実施例２の対物光学系は、物体側から順に、前群ＧＦと、後群ＧＲと、を有する。前群ＧＦは、物体側に凸面を向けた負メニスカスレンズＬ１と、平凸正レンズＬ２と、両凸正レンズＬ３と、像側に凸面を向けた負メニスカスレンズＬ４と、を有する。後群ＧＲは、平凹負レンズＬ５と、両凸正レンズＬ６と、を有する。
【００６９】
両凸正レンズＬ３と負メニスカスレンズＬ４とが接合されている。平凹負レンズＬ５と両凸正レンズＬ６とが接合されている。
【００７０】
負メニスカスレンズＬ１の物体側に、平行平板Ｃ１が配置されている。平凸正レンズＬ２の物体側に、プリズムＰ１と、プリズムＰ２と、が配置されている。プリズムＰ１は、プリズムＰ２と接合されている。プリズムＰ２は、平凸正レンズＬ２と接合されている。
【００７１】
非球面は、負メニスカスレンズＬ１の両面と、平凸正レンズＬ２の像側面と、の合計３面に設けられている。
【００７２】
実施例３の対物光学系は、物体側から順に、前群ＧＦと、後群ＧＲと、を有する。前群ＧＦは、物体側に凸面を向けた負メニスカスレンズＬ１と、平凸正レンズＬ２と、両凸正レンズＬ３と、像側に凸面を向けた負メニスカスレンズＬ４と、を有する。後群ＧＲは、平凹負レンズＬ５と、両凸正レンズＬ６と、を有する。
【００７３】
両凸正レンズＬ３と負メニスカスレンズＬ４とが接合されている。平凹負レンズＬ５と両凸正レンズＬ６とが接合されている。
【００７４】
負メニスカスレンズＬ１の物体側に、平行平板Ｃ１が配置されている。平凸正レンズＬ２の物体側に、プリズムＰ１と、プリズムＰ２と、が配置されている。プリズムＰ１は、プリズムＰ２と接合されている。プリズムＰ２は、平凸正レンズＬ２と接合されている。
【００７５】
非球面は、負メニスカスレンズＬ１の両面と、平凸正レンズＬ２の像側面と、の合計３面に設けられている。
【００７６】
実施例４の対物光学系は、物体側から順に、前群ＧＦと、後群ＧＲと、を有する。前群ＧＦは、物体側に凸面を向けた負メニスカスレンズＬ１と、平凸正レンズＬ２と、物体側に凸面を向けた負メニスカスレンズＬ３と、両凸正レンズＬ４と、を有する。後群ＧＲは、物体側に凸面を向けた負メニスカスレンズＬ５と、両凸正レンズＬ６と、を有する。
【００７７】
負メニスカスレンズＬ３と両凸正レンズＬ４とが接合されている。負メニスカスレンズＬ５と両凸正レンズＬ６とが接合されている。
【００７８】
負メニスカスレンズＬ１の物体側に、平行平板Ｃ１が配置されている。平凸正レンズＬ２の物体側に、プリズムＰ１と、プリズムＰ２と、が配置されている。プリズムＰ１は、プリズムＰ２と接合されている。プリズムＰ２は、平凸正レンズＬ２と接合されている。
【００７９】
非球面は、負メニスカスレンズＬ１の両面と、平凸正レンズＬ２の像側面と、の合計３面に設けられている。
【００８０】
実施例５の対物光学系は、物体側から順に、前群ＧＦと、後群ＧＲと、を有する。前群ＧＦは、物体側に凸面を向けた負メニスカスレンズＬ１と、平凸正レンズＬ２と、物体側に凸面を向けた負メニスカスレンズＬ３と、両凸正レンズＬ４と、を有する。後群ＧＲは、両凹負レンズＬ５と、両凸正レンズＬ６と、を有する。
【００８１】
負メニスカスレンズＬ３と両凸正レンズＬ４とが接合されている。両凹負レンズＬ５と両凸正レンズＬ６とが接合されている。
【００８２】
負メニスカスレンズＬ１の物体側に、平行平板Ｃ１が配置されている。平凸正レンズＬ２の物体側に、プリズムＰ１と、プリズムＰ２と、が配置されている。プリズムＰ１は、プリズムＰ２と接合されている。プリズムＰ２は、平凸正レンズＬ２と接合されている。
【００８３】
非球面は、負メニスカスレンズＬ１の両面と、平凸正レンズＬ２の像側面と、の合計３面に設けられている。
【００８４】
実施例６の対物光学系は、物体側から順に、前群ＧＦと、後群ＧＲと、を有する。前群ＧＦは、物体側に凸面を向けた負メニスカスレンズＬ１と、平凸正レンズＬ２と、物体側に凸面を向けた負メニスカスレンズＬ３と、両凸正レンズＬ４と、を有する。後群ＧＲは、物体側に凸面を向けた負メニスカスレンズＬ５と、両凸正レンズＬ６と、を有する。
【００８５】
負メニスカスレンズＬ３と両凸正レンズＬ４とが接合されている。負メニスカスレンズＬ５と両凸正レンズＬ６とが接合されている。
【００８６】
負メニスカスレンズＬ１の物体側に、平行平板Ｃ１が配置されている。平凸正レンズＬ２の物体側に、プリズムＰ１と、プリズムＰ２と、が配置されている。プリズムＰ１は、プリズムＰ２と接合されている。プリズムＰ２は、平凸正レンズＬ２と接合されている。
【００８７】
非球面は、負メニスカスレンズＬ１の両面と、平凸正レンズＬ２の像側面と、の合計３面に設けられている。
【００８８】
硬性鏡用光学系の実施例について説明する。図１３乃至図１８は、各実施例の硬性鏡用光学系のレンズ断面図である。各実施例のレンズ断面図には、軸上マージナル光線と最大像高の主光線が示されている。
【００８９】
図１９乃至図２４は、各実施例の硬性鏡用光学系の収差図である。各実施例の収差図において、（ａ）は球面収差（ＳＡ）、（ｂ）は非点収差（ＡＳ）、（ｃ）は倍率色収差（ＣＣ）、（ｄ）は歪曲収差（ＤＴ）を示している。
【００９０】
各実施例の硬性鏡用光学系は、対物光学系ＯＢＪと、像リレーユニットと、接眼光学系ＯＣと、を有する。
【００９１】
各実施例の硬性鏡用光学系では、対物光学系ＯＢＪによって、１次像Ｉｏが形成される。１次像Ｉｏは、第１のリレー光学系ＲＬ１でリレーされる。これにより、第１のリレー像Ｉ１が形成される。
【００９２】
各実施例の硬性鏡用光学系では、像リレーユニットは、３つのリレー光学系で構成されている。第１のリレー像Ｉ１は、第２のリレー光学系ＲＬ２でリレーされる。これにより、第２のリレー像Ｉ２が形成される。第２のリレー像Ｉ２は、第３のリレー光学系ＲＬ３でリレーされる。これにより、第３のリレー像Ｉ３が形成される。第３のリレー像Ｉ３は、接眼光学系ＯＣによって観察することができる。
【００９３】
各実施例の硬性鏡用光学系は、接眼光学系ＯＣによってリレー像を観察する光学系である。硬性鏡用光学系単独では実像が形成されないので、収差の様子を示すことができない。このようなことから、接眼光学系ＯＣの瞳位置に理想レンズを配置して、最終像Ｉを形成している。収差図における各収差は、最終像Ｉにおける収差を示している。接眼光学系ＯＣの瞳位置は、レンズ断面図において両矢印で示されている。
【００９４】
接眼光学系ＯＣと理想レンズによる結像倍率は−１倍である。収差図の像高の値は、１次像Ｉｏの高さが１のときの値である。接眼光学系ＯＣの歪曲収差が約２％あるため、最終像Ｉにおける像高は１．０２になっている。
【００９５】
実施例１の硬性鏡用光学系は、物体側から順に、対物光学系ＯＢＪと、像リレーユニットと、接眼光学系ＯＣと、を有する。対物光学系ＯＢＪには、実施例１の対物光学系が用いられている。よって、対物光学系ＯＢＪについては、具体的な構成（例えば、レンズの形状、屈折力及び非球面の数）の説明は省略する。
【００９６】
像リレーユニットは、第１のリレー光学系ＲＬ１と、第２のリレー光学系ＲＬ２と、第３のリレー光学系ＲＬ３と、を有する。
【００９７】
第１のリレー光学系ＲＬ１は、物体側面が凸面の平凸正レンズＬ７と、両凸正レンズＬ８と、像側に凸面を向けた負メニスカスレンズＬ９と、物体側に凸面を向けた負メニスカスレンズＬ１０と、両凸正レンズＬ１１と、像側面が凸面の平凸正レンズＬ１２と、を有する。
【００９８】
両凸正レンズＬ８と負メニスカスレンズＬ９とが接合されている。負メニスカスレンズＬ１０と両凸正レンズＬ１１が接合されている。
【００９９】
第２のリレー光学系ＲＬ２は、物体側面が凸面の平凸正レンズＬ１３と、両凸正レンズＬ１４と、像側に凸面を向けた負メニスカスレンズＬ１５と、物体側に凸面を向けた負メニスカスレンズＬ１６と、両凸正レンズＬ１７と、像側面が凸面の平凸正レンズＬ１８と、を有する。
【０１００】
両凸正レンズＬ１４と負メニスカスレンズＬ１５とが接合されている。負メニスカスレンズＬ１６と両凸正レンズＬ１７とが接合されている。
【０１０１】
第３のリレー光学系ＲＬ３は、物体側面が凸面の平凸正レンズＬ１９と、両凸正レンズＬ２０と、像側に凸面を向けた負メニスカスレンズＬ２１と、物体側に凸面を向けた負メニスカスレンズＬ２２と、両凸正レンズＬ２３と、像側面が凸面の平凸正レンズＬ２４と、を有する。
【０１０２】
両凸正レンズＬ２０と負メニスカスレンズＬ２１とが接合されている。負メニスカスレンズＬ２２と両凸正レンズＬ２３とが接合されている。
【０１０３】
負メニスカスレンズＬ２１と負メニスカスレンズＬ２２との間に、絞りＳが配置されている。
【０１０４】
接眼光学系ＯＣは、両凸正レンズＬ２５と、平凹負レンズＬ２６と、両凸正レンズＬ２７と、を有する。平凹負レンズＬ２６と両凸正レンズＬ２７とが接合されている。接眼光学系ＯＣの像側に、平行平板Ｃ２が配置されている。
【０１０５】
非球面は、両凸レンズＬ８の物体側面と、両凸レンズＬ１１の像側面と、両凸レンズＬ１４の物体側面と、両凸レンズＬ１７の像側面と、両凸レンズＬ２０の物体側面と、両凸レンズＬ２３の像側面と、の合計６面に設けられている。
【０１０６】
各実施例の硬性鏡用光学系では、平行平板Ｃ１および平行平板Ｃ２はカバーガラスとして用いられている。平行平板Ｃ１および平行平板Ｃ２には、サファイアを用いることができる。
【０１０７】
また、平行平板Ｃ１および平行平板Ｃ２に屈折力を持たせても良い。このようにすることで、平行平板Ｃ１および平行平板Ｃ２を補助的なレンズとして用いることもできる。平行平板Ｃ１および平行平板Ｃ２に屈折力を持たせるには、少なくとも一方の光学面を、平面から球面に変えれば良い。
【０１０８】
実施例２の硬性鏡用光学系は、物体側から順に、対物光学系ＯＢＪと、像リレーユニットと、接眼光学系ＯＣと、を有する。対物光学系ＯＢＪには、実施例２の対物光学系が用いられている。よって、対物光学系ＯＢＪについては、具体的な構成（例えば、レンズの形状、屈折力及び非球面の数）の説明は省略する。
【０１０９】
像リレーユニットは、第１のリレー光学系ＲＬ１と、第２のリレー光学系ＲＬ２と、第３のリレー光学系ＲＬ３と、を有する。
【０１１０】
第１のリレー光学系ＲＬ１は、物体側面が凸面の平凸正レンズＬ７と、両凸正レンズＬ８と、像側に凸面を向けた負メニスカスレンズＬ９と、物体側に凸面を向けた負メニスカスレンズＬ１０と、両凸正レンズＬ１１と、像側面が凸面の平凸正レンズＬ１２と、を有する。
【０１１１】
両凸正レンズＬ８と負メニスカスレンズＬ９との間に、樹脂層が形成されている。負メニスカスレンズＬ１０と両凸正レンズＬ１１との間に、樹脂層が形成されている。２つの樹脂層は、樹脂レンズである。
【０１１２】
両凸正レンズＬ８、樹脂レンズ、及び負メニスカスレンズＬ９が接合されている。負メニスカスレンズＬ１０、樹脂レンズ、及び両凸正レンズＬ１１が接合されている。
【０１１３】
第２のリレー光学系ＲＬ２は、物体側面が凸面の平凸正レンズＬ１３と、両凸正レンズＬ１４と、像側に凸面を向けた負メニスカスレンズＬ１５と、物体側に凸面を向けた負メニスカスレンズＬ１６と、両凸正レンズＬ１７と、像側面が凸面の平凸正レンズＬ１８と、を有する。
【０１１４】
両凸正レンズＬ１４と負メニスカスレンズＬ１５との間に、樹脂層が形成されている。負メニスカスレンズＬ１６と両凸正レンズＬ１７との間に、樹脂層が形成されている。２つの樹脂層は、樹脂レンズである。
【０１１５】
両凸正レンズＬ１４、樹脂レンズ、及び負メニスカスレンズＬ１５が接合されている。負メニスカスレンズＬ１６、樹脂レンズ、及び両凸正レンズＬ１７が接合されている。
【０１１６】
第３のリレー光学系ＲＬ３は、物体側面が凸面の平凸正レンズＬ１９と、両凸正レンズＬ２０と、像側に凸面を向けた負メニスカスレンズＬ２１と、物体側に凸面を向けた負メニスカスレンズＬ２２と、両凸正レンズＬ２３と、像側面が凸面の平凸正レンズＬ２４と、を有する。
【０１１７】
両凸正レンズＬ２０と負メニスカスレンズＬ２１との間に、樹脂層が形成されている。負メニスカスレンズＬ２２と両凸正レンズＬ２３との間に、樹脂層が形成されている。２つの樹脂層は、樹脂レンズである。
【０１１８】
両凸正レンズＬ２０、樹脂レンズ、及び負メニスカスレンズＬ２１が接合されている。負メニスカスレンズＬ２２、樹脂レンズ、及び両凸正レンズＬ２３が接合されている。
【０１１９】
負メニスカスレンズＬ２１と負メニスカスレンズＬ２２との間に、絞りＳが配置されている。
【０１２０】
接眼光学系ＯＣは、両凸正レンズＬ２５と、平凹負レンズＬ２６と、両凸正レンズＬ２７と、を有する。平凹負レンズＬ２６と両凸正レンズＬ２７とが接合されている。接眼光学系ＯＣの像側に、平行平板Ｃ２が配置されている。
【０１２１】
非球面は、負メニスカスレンズＬ９の物体側面と、負メニスカスレンズＬ１０の像側面と、負メニスカスレンズＬ１５物体側面と、負メニスカスレンズＬ１６の像側面と、負メニスカスレンズＬ２１の物体側面と、負メニスカスレンズＬ２２の像側面と、の合計６面に設けられている。
【０１２２】
実施例３の硬性鏡用光学系は、物体側から順に、対物光学系ＯＢＪと、像リレーユニットと、接眼光学系ＯＣと、を有する。対物光学系ＯＢＪには、実施例３の対物光学系が用いられている。よって、対物光学系ＯＢＪについては、具体的な構成（例えば、レンズの形状、屈折力及び非球面の数）の説明は省略する。
【０１２３】
像リレーユニットは、第１のリレー光学系ＲＬ１と、第２のリレー光学系ＲＬ２と、第３のリレー光学系ＲＬ３と、を有する。
【０１２４】
第１のリレー光学系ＲＬ１は、物体側面が凸面の平凸正レンズＬ７と、両凸正レンズＬ８と、像側に凸面を向けた負メニスカスレンズＬ９と、物体側に凸面を向けた負メニスカスレンズＬ１０と、両凸正レンズＬ１１と、像側面が凸面の平凸正レンズＬ１２と、を有する。
【０１２５】
両凸正レンズＬ８と負メニスカスレンズＬ９との間に、樹脂層が形成されている。負メニスカスレンズＬ１０と両凸正レンズＬ１１との間に、樹脂層が形成されている。２つの樹脂層は、樹脂レンズである。
【０１２６】
両凸正レンズＬ８、樹脂レンズ、及び負メニスカスレンズＬ９が接合されている。負メニスカスレンズＬ１０、樹脂レンズ、及び両凸正レンズＬ１１が接合されている。
【０１２７】
第２のリレー光学系ＲＬ２は、物体側面が凸面の平凸正レンズＬ１３と、両凸正レンズＬ１４と、像側に凸面を向けた負メニスカスレンズＬ１５と、物体側に凸面を向けた負メニスカスレンズＬ１６と、両凸正レンズＬ１７と、像側面が凸面の平凸正レンズＬ１８と、を有する。
【０１２８】
両凸正レンズＬ１４と負メニスカスレンズＬ１５との間に、樹脂層が形成されている。負メニスカスレンズＬ１６と両凸正レンズＬ１７との間に、樹脂層が形成されている。２つの樹脂層は、樹脂レンズである。
【０１２９】
両凸正レンズＬ１４、樹脂レンズ、及び負メニスカスレンズＬ１５が接合されている。負メニスカスレンズＬ１６、樹脂レンズ、及び両凸正レンズＬ１７が接合されている。
【０１３０】
第３のリレー光学系ＲＬ３は、物体側面が凸面の平凸正レンズＬ１９と、両凸正レンズＬ２０と、像側に凸面を向けた負メニスカスレンズＬ２１と、物体側に凸面を向けた負メニスカスレンズＬ２２と、両凸正レンズＬ２３と、像側面が凸面の平凸正レンズＬ２４と、を有する。
【０１３１】
両凸正レンズＬ２０と負メニスカスレンズＬ２１との間に、樹脂層が形成されている。負メニスカスレンズＬ２２と両凸正レンズＬ２３との間に、樹脂層が形成されている。２つの樹脂層は、樹脂レンズである。
【０１３２】
両凸正レンズＬ２０、樹脂レンズ、及び負メニスカスレンズＬ２１が接合されている。負メニスカスレンズＬ２２、樹脂レンズ、及び両凸正レンズＬ２３が接合されている。
【０１３３】
負メニスカスレンズＬ２１と負メニスカスレンズＬ２２との間に、絞りＳが配置されている。
【０１３４】
接眼光学系ＯＣは、両凸正レンズＬ２５と、平凹負レンズＬ２６と、両凸正レンズＬ２７と、を有する。平凹負レンズＬ２６と両凸正レンズＬ２７とが接合されている。接眼光学系ＯＣの像側に、平行平板Ｃ２が配置されている。
【０１３５】
非球面は、両凸レンズＬ８の物体側面と、両凸レンズＬ１１の像側面と、両凸レンズＬ１４の物体側面と、両凸レンズＬ１７の像側面と、両凸レンズＬ２０の物体側面と、両凸レンズＬ２３の像側面と、の合計６面に設けられている。
【０１３６】
実施例４の硬性鏡用光学系は、物体側から順に、対物光学系ＯＢＪと、像リレーユニットと、接眼光学系ＯＣと、を有する。対物光学系ＯＢＪには、実施例４の対物光学系が用いられている。よって、対物光学系ＯＢＪについては、具体的な構成（例えば、レンズの形状、屈折力及び非球面の数）の説明は省略する。
【０１３７】
像リレーユニットは、第１のリレー光学系ＲＬ１と、第２のリレー光学系ＲＬ２と、第３のリレー光学系ＲＬ３と、を有する。
【０１３８】
第１のリレー光学系ＲＬ１は、物体側面が凸面の平凸正レンズＬ７と、両凸正レンズＬ８と、像側に凸面を向けた負メニスカスレンズＬ９と、物体側に凸面を向けた負メニスカスレンズＬ１０と、両凸正レンズＬ１１と、像側面が凸面の平凸正レンズＬ１２と、を有する。
【０１３９】
両凸正レンズＬ８と負メニスカスレンズＬ９とが接合されている。負メニスカスレンズＬ１０と両凸正レンズＬ１１が接合されている。
【０１４０】
第２のリレー光学系ＲＬ２は、物体側面が凸面の平凸正レンズＬ１３と、両凸正レンズＬ１４と、像側に凸面を向けた負メニスカスレンズＬ１５と、物体側に凸面を向けた負メニスカスレンズＬ１６と、両凸正レンズＬ１７と、像側面が凸面の平凸正レンズＬ１８と、を有する。
【０１４１】
両凸正レンズＬ１４と負メニスカスレンズＬ１５とが接合されている。負メニスカスレンズＬ１６と両凸正レンズＬ１７とが接合されている。
【０１４２】
第３のリレー光学系ＲＬ３は、物体側面が凸面の平凸正レンズＬ１９と、両凸正レンズＬ２０と、像側に凸面を向けた負メニスカスレンズＬ２１と、物体側に凸面を向けた負メニスカスレンズＬ２２と、両凸正レンズＬ２３と、像側面が凸面の平凸正レンズＬ２４と、を有する。
【０１４３】
両凸正レンズＬ２０と負メニスカスレンズＬ２１とが接合されている。負メニスカスレンズＬ２２と両凸正レンズＬ２３とが接合されている。
【０１４４】
負メニスカスレンズＬ２１と負メニスカスレンズＬ２２との間に、絞りＳが配置されている。
【０１４５】
接眼光学系ＯＣは、両凸正レンズＬ２５と、平凹負レンズＬ２６と、両凸正レンズＬ２７と、を有する。平凹負レンズＬ２６と両凸正レンズＬ２７とが接合されている。接眼光学系ＯＣの像側に、平行平板Ｃ２が配置されている。
【０１４６】
非球面は、両凸レンズＬ８の物体側面と、両凸レンズＬ１１の像側面と、両凸レンズＬ１４の物体側面と、両凸レンズＬ１７の像側面と、両凸レンズＬ２０の物体側面と、両凸レンズＬ２３の像側面と、の合計６面に設けられている。
【０１４７】
実施例５の硬性鏡用光学系は、物体側から順に、対物光学系ＯＢＪと、像リレーユニットと、接眼光学系ＯＣと、を有する。対物光学系ＯＢＪには、実施例５の対物光学系が用いられている。よって、対物光学系ＯＢＪについては、具体的な構成（例えば、レンズの形状、屈折力及び非球面の数）の説明は省略する。
【０１４８】
像リレーユニットは、第１のリレー光学系ＲＬ１と、第２のリレー光学系ＲＬ２と、第３のリレー光学系ＲＬ３と、を有する。
【０１４９】
第１のリレー光学系ＲＬ１は、物体側面が凸面の平凸正レンズＬ７と、両凸正レンズＬ８と、像側に凸面を向けた負メニスカスレンズＬ９と、物体側に凸面を向けた負メニスカスレンズＬ１０と、両凸正レンズＬ１１と、像側面が凸面の平凸正レンズＬ１２と、を有する。
【０１５０】
両凸正レンズＬ８と負メニスカスレンズＬ９とが接合されている。負メニスカスレンズＬ１０と両凸正レンズＬ１１が接合されている。
【０１５１】
第２のリレー光学系ＲＬ２は、物体側面が凸面の平凸正レンズＬ１３と、両凸正レンズＬ１４と、像側に凸面を向けた負メニスカスレンズＬ１５と、物体側に凸面を向けた負メニスカスレンズＬ１６と、両凸正レンズＬ１７と、像側面が凸面の平凸正レンズＬ１８と、を有する。
【０１５２】
両凸正レンズＬ１４と負メニスカスレンズＬ１５とが接合されている。負メニスカスレンズＬ１６と両凸正レンズＬ１７とが接合されている。
【０１５３】
第３のリレー光学系ＲＬ３は、物体側面が凸面の平凸正レンズＬ１９と、両凸正レンズＬ２０と、像側に凸面を向けた負メニスカスレンズＬ２１と、物体側に凸面を向けた負メニスカスレンズＬ２２と、両凸正レンズＬ２３と、像側面が凸面の平凸正レンズＬ２４と、を有する。
【０１５４】
両凸正レンズＬ２０と負メニスカスレンズＬ２１とが接合されている。負メニスカスレンズＬ２２と両凸正レンズＬ２３とが接合されている。
【０１５５】
負メニスカスレンズＬ２１と負メニスカスレンズＬ２２との間に、絞りＳが配置されている。
【０１５６】
接眼光学系ＯＣは、両凸正レンズＬ２５と、平凹負レンズＬ２６と、両凸正レンズＬ２７と、を有する。平凹負レンズＬ２６と両凸正レンズＬ２７とが接合されている。接眼光学系ＯＣの像側に、平行平板Ｃ２が配置されている。
【０１５７】
非球面は、両凸レンズＬ８の物体側面と、両凸レンズＬ１１の像側面と、両凸レンズＬ１４の物体側面と、両凸レンズＬ１７の像側面と、両凸レンズＬ２０の物体側面と、両凸レンズＬ２３の像側面と、の合計６面に設けられている。
【０１５８】
実施例６の硬性鏡用光学系は、物体側から順に、対物光学系ＯＢＪと、像リレーユニットと、接眼光学系ＯＣと、を有する。対物光学系ＯＢＪには、実施例６の対物光学系が用いられている。よって、対物光学系ＯＢＪについては、具体的な構成（例えば、レンズの形状、屈折力及び非球面の数）の説明は省略する。
【０１５９】
像リレーユニットは、第１のリレー光学系ＲＬ１と、第２のリレー光学系ＲＬ２と、第３のリレー光学系ＲＬ３と、を有する。
【０１６０】
第１のリレー光学系ＲＬ１は、物体側面が凸面の平凸正レンズＬ７と、両凸正レンズＬ８と、像側に凸面を向けた負メニスカスレンズＬ９と、物体側に凸面を向けた負メニスカスレンズＬ１０と、両凸正レンズＬ１１と、像側面が凸面の平凸正レンズＬ１２と、を有する。
【０１６１】
両凸正レンズＬ８と負メニスカスレンズＬ９とが接合されている。負メニスカスレンズＬ１０と両凸正レンズＬ１１が接合されている。
【０１６２】
第２のリレー光学系ＲＬ２は、物体側面が凸面の平凸正レンズＬ１３と、両凸正レンズＬ１４と、像側に凸面を向けた負メニスカスレンズＬ１５と、物体側に凸面を向けた負メニスカスレンズＬ１６と、両凸正レンズＬ１７と、像側面が凸面の平凸正レンズＬ１８と、を有する。
【０１６３】
両凸正レンズＬ１４と負メニスカスレンズＬ１５とが接合されている。負メニスカスレンズＬ１６と両凸正レンズＬ１７とが接合されている。
【０１６４】
第３のリレー光学系ＲＬ３は、物体側面が凸面の平凸正レンズＬ１９と、両凸正レンズＬ２０と、像側に凸面を向けた負メニスカスレンズＬ２１と、物体側に凸面を向けた負メニスカスレンズＬ２２と、両凸正レンズＬ２３と、像側面が凸面の平凸正レンズＬ２４と、を有する。
【０１６５】
両凸正レンズＬ２０と負メニスカスレンズＬ２１とが接合されている。負メニスカスレンズＬ２２と両凸正レンズＬ２３とが接合されている。
【０１６６】
負メニスカスレンズＬ２１と負メニスカスレンズＬ２２との間に、絞りＳが配置されている。
【０１６７】
接眼光学系ＯＣは、両凸正レンズＬ２５と、平凹負レンズＬ２６と、両凸正レンズＬ２７と、を有する。平凹負レンズＬ２６と両凸正レンズＬ２７とが接合されている。接眼光学系ＯＣの像側に、平行平板Ｃ２が配置されている。
【０１６８】
非球面は用いられていない。
【０１６９】
以下に、上記各実施例の数値データを示す。面データにおいて、ｒは各レンズ面の曲率半径、ｄは各レンズ面間の間隔、ｎｄは各レンズのｄ線の屈折率、νｄは各レンズのアッベ数、＊印は非球面、ＥＲは有効径を示す。
【０１７０】
各種データにおいて、ＯＢは物体距離、ＦＯＶは画角（２ω：単位は°）、ＮＡIは対物レンズの像側ＮＡ、ＩＨは上記１次像Ｉｏの最大像高、ＩＨtotalは上記最終像Ｉの最大像高である。
【０１７１】
数値データと硝材データにおいて、ＧＬＡの欄には、硝材の名称が具体的に記載されている。ただし、Ｃ１、Ｃ２、及びＲｅｓｉｎ  Ａは、硝材の具体的な名称ではない。具体的な名称が記載されている硝材は、株式会社オハラの硝材である。
【０１７２】
硝材データにおいて、ＧＬＡの右側に記載されている５つの数値は、各々、ｄ線の波長、Ｃ線の波長、Ｆ線の波長、ｇ線の波長及びｅ線の波長である。各硝材名の右側に記載されている５つの数値は、各波長における屈折率である。
【０１７３】
また、非球面形状は、光軸方向をｚ、光軸に直交する方向をｙにとり、円錐係数をＫ、非球面係数をＡ４、Ａ６、Ａ８、Ａ１０…としたとき、次の式で表される。
ｚ＝（ｙ2／ｒ）／［１＋｛１−（１＋Ｋ）（ｙ／ｒ）2｝1/2］
＋Ａ４ｙ4＋Ａ６ｙ6＋Ａ８ｙ8＋Ａ１０ｙ10＋…
また、非球面係数において、「Ｅ−ｎ」（ｎは整数）は、「１０−ｎ」を示している。
【０１７４】
理想レンズは薄肉レンズとして扱っているので、厚みはゼロである。理想レンズの配置位置は、数値実施例の面データにおける面番号で示している。
【０１７５】
数値実施例１
単位  ｍｍ
面データ
面番号      r         d         GLA          nd      νd      ER
物体面     ∞       16.8230               1.
1       ∞        0.2355   C1          1.76900   64.15   1.178U
2       ∞        0.0673               1.                1.178U
3*     1.5215     0.3365   L-LAH53-M   1.80258   40.72   0.858U
4*     0.3294     0.5114               1.                0.538U
5       ∞        1.7664   S-LAH58     1.88300   40.76   1.208U
6       ∞        3.5126   S-LAH58     1.88300   40.76   1.208U
7       ∞        0.5249   S-LAH58-M   1.87933   40.60   1.208U
8*    -2.4716     0.6460               1.                1.208U
9     11.0322     0.9084   S-NBH56     1.85478   24.80   1.208U
10      2.6426     1.0094   S-FPL55     1.43875   94.66   1.208U
11     -3.3017     1.8673               1.                1.208U
12       ∞        0.4038   S-TIM22     1.64769   33.79   1.262U
13      2.4989     3.1291   S-FPL55     1.43875   94.66   1.262U
14     -4.4133     1.4434               1.                1.262U
15       ∞        1.8875               1.                1.346U
16      5.7713    11.1032   S-BAL35     1.58913   61.14   1.262U
17       ∞        0.2961               1.                1.262U
18*     6.3564     1.0767   S-FPL55-M   1.43747   94.28   1.262U
19     -3.2818     1.3828   S-YGH51     1.75500   52.32   1.262U
20     -6.3604     1.3794               1.                1.236U
21      6.3604     1.3828   S-YGH51     1.75500   52.32   1.262U
22      3.2818     1.0767   S-FPL55-M   1.43747   94.28   1.262U
23*    -6.3564     0.2961               1.                1.262U
24       ∞       11.1032   S-BAL35     1.58913   61.14   1.262U
25     -5.7713     1.8875               1.                1.262U
26       ∞        1.8875               1.                1.346U
27      5.7713    11.1032   S-BAL35     1.58913   61.14   1.262U
28       ∞        0.2961               1.                1.262U
29*     6.3564     1.0767   S-FPL55-M   1.43747   94.28   1.262U
30     -3.2818     1.3828   S-YGH51     1.75500   52.32   1.262U
31     -6.3604     1.3794               1.                1.236U
32      6.3604     1.3828   S-YGH51     1.75500   52.32   1.262U
33      3.2818     1.0767   S-FPL55-M   1.43747   94.28   1.262U
34*    -6.3564     0.2961               1.                1.262U
35       ∞       11.1032   S-BAL35     1.58913   61.14   1.262U
36     -5.7713     1.8875               1.                1.262U
37       ∞        1.8875               1.                1.346U
38      5.7713    11.1032   S-BAL35     1.58913   61.14   1.262U
39       ∞        0.2961               1.                1.262U
40*     6.3564     1.0767   S-FPL55-M   1.43747   94.28   1.262U
41     -3.2818     1.3828   S-YGH51     1.75500   52.32   1.262U
42     -6.3604     0.6897               1.                1.262U
43(絞り) ∞        0.6897               1.                1.112U
44      6.3604     1.3828   S-YGH51     1.75500   52.32   1.262U
45      3.2818     1.0767   S-FPL55-M   1.43747   94.28   1.262U
46*    -6.3564     0.2961               1.                1.262U
47       ∞       11.1032   S-BAL35     1.58913   61.14   1.262U
48     -5.7713     1.8875               1.                1.262U
49       ∞        5.4944               1.                1.682U
50     11.4019     1.5814   S-FPL51     1.49700   81.54   1.682U
51     -7.8705     0.2355               1.                1.682U
52       ∞        0.5047   S-LAH60     1.83400   37.16   1.682U
53      4.4658     3.3646   S-BAL35     1.58913   61.14   1.682U
54     -6.7975     2.0860               1.                1.682U
55       ∞        1.0094   C2          1.76819   71.70   1.514U
56       ∞        3.5328               1.                1.514U
57       ∞        8.1561               1.                1.024
像面       ∞
非球面データ
第３面
k=-0.6370
A2=0.0000E+00,A4=-1.5319E-01,A6=3.7826E-02,
A8=0.0000E+00,A10=0.0000E+00
第４面
k=-0.8270
A2=0.0000E+00,A4=1.2337E-01,A6=-1.0383E+00,
A8=0.0000E+00,A10=0.0000E+00
第８面
k=-0.3780
A2=0.0000E+00,A4=4.7048E-03,A6=0.0000E+00,
A8=0.0000E+00,A10=0.0000E+00
第１８面
k=2.0710
A2=0.0000E+00,A4=-1.7948E-03,A6=0.0000E+00,
A8=0.0000E+00,A10=0.0000E+00
第２３面
k=2.0710
A2=0.0000E+00,A4=1.7948E-03,A6=0.0000E+00,
A8=0.0000E+00,A10=0.0000E+00
第２９面
k=2.0710
A2=0.0000E+00,A4=-1.7948E-03,A6=0.0000E+00,
A8=0.0000E+00,A10=0.0000E+00
第３４面
k=2.0710
A2=0.0000E+00,A4=1.7948E-03,A6=0.0000E+00,
A8=0.0000E+00,A10=0.0000E+00
第４０面
k=2.0710
A2=0.0000E+00,A4=-1.7948E-03,A6=0.0000E+00,
A8=0.0000E+00,A10=0.0000E+00
第４６面
k=2.0710
A2=0.0000E+00,A4=1.7948E-03,A6=0.0000E+00,
A8=0.0000E+00,A10=0.0000E+00
各種データ
ＯＢ       16.8230
ＦＯＶ     89.9
ＮＡＩ      0.1257
ＩＨ        1
ＩＨtotal   1.022
硝材データ
GLA        587.56   656.27   486.13   435.83   546.07
C2          1.768189 1.765244 1.775956 1.783503 1.770656
C1          1.768999 1.765391 1.777377 1.784102 1.771846
L-LAH53-M   1.802580 1.796720 1.816430 1.827650 1.807260
S-BAL35     1.589130 1.586188 1.595824 1.601034 1.591429
S-FPL51     1.496999 1.495136 1.501231 1.504507 1.498455
S-FPL55-M   1.437470 1.436040 1.440680 1.443150 1.438570
S-FPL55     1.438750 1.437328 1.441963 1.444438 1.439857
S-LAH58-M   1.879330 1.872890 1.894550 1.906830 1.884480
S-LAH58     1.882997 1.876560 1.898221 1.910497 1.888146
S-LAH60     1.834000 1.827376 1.849819 1.862781 1.839323
S-NBH56     1.854780 1.844876 1.879345 1.900448 1.862904
S-TIM22     1.647689 1.642096 1.661263 1.672645 1.652221
S-YGH51     1.754999 1.750624 1.765055 1.772956 1.758437
理想レンズ
配置位置   57（瞳）
焦点距離   7.9579
【０１７６】
数値実施例２
単位  ｍｍ
面データ
面番号      r         d         GLA          nd      νd      ER
物体面     ∞       16.8197               1.
1       ∞        0.2355   C1          1.76900   64.15   1.177U
2       ∞        0.0673               1.                1.177U
3*     1.3070     0.3364   L-LAH53     1.80625   40.91   0.858U
4*     0.3190     0.5201               1.                0.538U
5       ∞        1.7661   S-LAH58     1.88300   40.76   1.228U
6       ∞        3.3639   S-LAH58     1.88300   40.76   1.228U
7       ∞        0.6728   S-LAH58     1.88300   40.76   1.228U
8*    -2.3183     0.1682               1.                1.228U
9     19.0162     1.0120   S-FPM2      1.59522   67.74   1.228U
10     -2.5940     0.4037   S-NBH56     1.85478   24.80   1.228U
11     -7.7939     1.6481               1.                1.228U
12       ∞        0.4037   S-TIM35     1.69895   30.13   1.228U
13      2.1235     3.5799   S-FPL55     1.43875   94.66   1.228U
14     -3.6172     1.7164               1.                1.228U
15       ∞        1.6315               1.                1.346U
16      5.9168    10.7646    S-BAL35    1.58913   61.14   1.261U
17       ∞        0.6997               1.                1.261U
18      6.4187     1.6315   S-FPL51     1.49700   81.54   1.261U
19     -3.4729     0.1413   ResinA      1.60397   28.60   1.261U
20*    -2.9149     1.3119   L-LAH53     1.80625   40.91   1.261U
21     -6.8974     0.5046               1.                1.236U
22      6.8974     1.3119   L-LAH53     1.80625   40.91   1.261U
23*     2.9149     0.1413   ResinA      1.60397   28.60   1.261U
24      3.4729     1.6315   S-FPL51     1.49700   81.54   1.261U
25     -6.4187     0.6997               1.                1.261U
26       ∞       10.7646   S-BAL35     1.58913   61.14   1.261U
27     -5.9168     1.6315               1.                1.261U
28       ∞        1.6315               1.                1.346U
29      5.9168    10.7646   S-BAL35     1.58913   61.14   1.261U
30       ∞        0.6997               1.                1.261U
31      6.4187     1.6315   S-FPL51     1.49700   81.54   1.261U
32     -3.4729     0.1413   ResinA      1.60397   28.60   1.261U
33*    -2.9149     1.3119   L-LAH53     1.80625   40.91   1.261U
34     -6.8974     0.5046               1.                1.236U
35      6.8974     1.3119   L-LAH53     1.80625   40.91   1.261U
36*     2.9149     0.1413   ResinA      1.60397   28.60   1.261U
37      3.4729     1.6315   S-FPL51     1.49700   81.54   1.261U
38     -6.4187     0.6997               1.                1.261U
39       ∞       10.7646   S-BAL35     1.58913   61.14   1.261U
40     -5.9168     1.6315               1.                1.261U
41       ∞        1.6315               1.                1.346U
42      5.9168    10.7646   S-BAL35     1.58913   61.14   1.261U
43       ∞        0.6997               1.                1.261U
44      6.4187     1.6315   S-FPL51     1.49700   81.54   1.261U
45     -3.4729     0.1413   ResinA      1.60397   28.60   1.261U
46*    -2.9149     1.3119   L-LAH53     1.80625   40.91   1.261U
47     -6.8974     0.2523               1.                1.261U
48(絞り) ∞        0.2523               1.                1.132U
49      6.8974     1.3119   L-LAH53     1.80625   40.91   1.261U
50*     2.9149     0.1413   ResinA      1.60397   28.60   1.261U
51      3.4729     1.6315   S-FPL51     1.49700   81.54   1.261U
52     -6.4187     0.6997               1.                1.261U
53       ∞       10.7646   S-BAL35     1.58913   61.14   1.261U
54     -5.9168     1.6315               1.                1.261U
55       ∞        5.4933               1.                1.682U
56     11.3997     1.5811   S-FPL51     1.49700   81.54   1.682U
57     -7.8689     0.2355               1.                1.682U
58       ∞        0.5046   S-LAH60     1.83400   37.16   1.682U
59      4.4650     3.3639   S-BAL35     1.58913   61.14   1.682U
60     -6.7962     2.0856               1.                1.682U
61       ∞        1.0092   C2          1.76819   71.70   1.514U
62       ∞        3.5322               1.                1.514U
63       ∞        8.1546               1.                1.024
像面       ∞
非球面データ
第３面
k=-1.3092
A2=0.0000E+00,A4=-1.6738E-01,A6=4.6466E-02,
A8=0.0000E+00,A10=0.0000E+00
第４面
k=-1.0441
A2=0.0000E+00,A4=9.0726E-01,A6=-5.8418E-01,
A8=0.0000E+00,A10=0.0000E+00
第８面
k=-0.5063
A2=0.0000E+00,A4=2.1582E-03,A6=0.0000E+00,
A8=0.0000E+00,A10=0.0000E+00
第２０面
k=-0.2320
A2=0.0000E+00,A4=-1.6626E-03,A6=0.0000E+00,
A8=0.0000E+00,A10=0.0000E+00
第２３面
k=-0.2320
A2=0.0000E+00,A4=1.6626E-03,A6=0.0000E+00,
A8=0.0000E+00,A10=0.0000E+00
第３３面
k=-0.2320
A2=0.0000E+00,A4=-1.6626E-03,A6=0.0000E+00,
A8=0.0000E+00,A10=0.0000E+00
第３６面
k=-0.2320
A2=0.0000E+00,A4=1.6626E-03,A6=0.0000E+00,
A8=0.0000E+00,A10=0.0000E+00
第４６面
k=-0.2320
A2=0.0000E+00,A4=-1.6626E-03,A6=0.0000E+00,
A8=0.0000E+00,A10=0.0000E+00
第５０面
k=-0.2320
A2=0.0000E+00,A4=1.6626E-03,A6=0.0000E+00,
A8=0.0000E+00,A10=0.0000E+00
各種データ
ＯＢ       16.8197
ＦＯＶ     89.9
ＮＡＩ      0.1258
ＩＨ        1.00
ＩＨtotal   1.022
硝材データ
GLA        587.56   656.27   486.13   435.83   546.07
C2          1.768189 1.765244 1.775956 1.783503 1.770656
C1          1.768999 1.765391 1.777377 1.784102 1.771846
L-LAH53     1.806250 1.800394 1.820103 1.831320 1.810931
ResinA      1.603970 1.597970 1.619090 1.632280 1.608930
S-BAL35     1.589130 1.586188 1.595824 1.601034 1.591429
S-FPL51     1.496999 1.495136 1.501231 1.504507 1.498455
S-FPL55     1.438750 1.437328 1.441963 1.444438 1.439857
S-FPM2      1.595220 1.592555 1.601342 1.606124 1.597316
S-LAH58     1.882997 1.876560 1.898221 1.910497 1.888146
S-LAH60     1.834000 1.827376 1.849819 1.862781 1.839323
S-NBH56     1.854780 1.844876 1.879345 1.900448 1.862904
S-TIM35     1.698947 1.692225 1.715424 1.729412 1.704424
理想レンズ
配置位置   63（瞳）
焦点距離   7.95829
【０１７７】
数値実施例３
単位  ｍｍ
面データ
面番号      r         d         GLA          nd      νd      ER
物体面     ∞       16.8199               1.
1       ∞        0.2355   C1          1.76900   64.15   1.177U
2       ∞        0.0673               1.                1.177U
3*     1.3459     0.3364   L-LAH53     1.80625   40.91   0.858U
4*     0.3191     0.5159               1.                0.538U
5       ∞        1.7661   S-LAH58     1.88300   40.76   1.228U
6       ∞        3.3640   S-LAH58     1.88300   40.76   1.228U
7       ∞        0.6728   S-LAH58     1.88300   40.76   1.228U
8*    -2.3437     0.1682               1.                1.228U
9     15.8207     1.0460   S-FPL55     1.43875   94.66   1.228U
10     -2.1228     0.4037   S-NBH55     1.80000   29.84   1.228U
11     -3.3846     0.7204               1.                1.228U
12       ∞        1.3594   S-NBH56     1.85478   24.80   1.228U
13      2.1774     4.1946   S-FPL55     1.43875   94.66   1.228U
14     -3.5489     1.5059               1.                1.228U
15       ∞        1.6315               1.                1.346U
16      5.9169    10.7648   S-BAL35     1.58913   61.14   1.261U
17       ∞        0.6997               1.                1.261U
18      6.4188     1.6315   S-FPL51     1.49700   81.54   1.261U
19     -3.4730     0.1413   ResinA      1.60397   28.60   1.261U
20*    -2.9149     1.3120   L-LAH53     1.80625   40.91   1.261U
21     -6.8975     0.5046               1.                1.236U
22      6.8975     1.3120   L-LAH53     1.80625   40.91   1.261U
23*     2.9149     0.1413   ResinA      1.60397   28.60   1.261U
24      3.4730     1.6315   S-FPL51     1.49700   81.54   1.261U
25     -6.4188     0.6997               1.                1.261U
26       ∞       10.7648   S-BAL35     1.58913   61.14   1.261U
27     -5.9169     1.6315               1.                1.261U
28       ∞        1.6315               1.                1.346U
29      5.9169    10.7648   S-BAL35     1.58913   61.14   1.261U
30       ∞        0.6997               1.                1.261U
31      6.4188     1.6315   S-FPL51     1.49700   81.54   1.261U
32     -3.4730     0.1413   ResinA      1.60397   28.60   1.261U
33*    -2.9149     1.3120   L-LAH53     1.80625   40.91   1.261U
34     -6.8975     0.5046               1.                1.236U
35      6.8975     1.3120   L-LAH53     1.80625   40.91   1.261U
36*     2.9149     0.1413   ResinA      1.60397   28.60   1.261U
37      3.4730     1.6315   S-FPL51     1.49700   81.54   1.261U
38     -6.4188     0.6997               1.                1.261U
39       ∞       10.7648   S-BAL35     1.58913   61.14   1.261U
40     -5.9169     1.6315               1.                1.261U
41       ∞        1.6315               1.                1.346U
42      5.9169    10.7648   S-BAL35     1.58913   61.14   1.261U
43       ∞        0.6997               1.                1.261U
44      6.4188     1.6315   S-FPL51     1.49700   81.54   1.261U
45     -3.4730     0.1413   ResinA      1.60397   28.60   1.261U
46*    -2.9149     1.3120   L-LAH53     1.80625   40.91   1.261U
47     -6.8975     0.2523               1.                1.261U
48(絞り) ∞        0.2523               1.                1.132U
49      6.8975     1.3120   L-LAH53     1.80625   40.91   1.261U
50*     2.9149     0.1413   ResinA      1.60397   28.60   1.261U
51      3.4730     1.6315   S-FPL51     1.49700   81.54   1.261U
52     -6.4188     0.6997               1.                1.261U
53       ∞       10.7648   S-BAL35     1.58913   61.14   1.261U
54     -5.9169     1.6315               1.                1.261U
55       ∞        5.4934               1.                1.682U
56     11.3999     1.5811   S-FPL51     1.49700   81.54   1.682U
57     -7.8690     0.2355               1.                1.682U
58       ∞        0.5046   S-LAH60     1.83400   37.16   1.682U
59      4.4650     3.3640   S-BAL35     1.58913   61.14   1.682U
60     -6.7963     2.0857               1.                1.682U
61       ∞        1.0092   C2          1.76819   71.70   1.514U
62       ∞        3.5322               1.                1.514U
63       ∞        8.1547               1.                1.024
像面       ∞
非球面データ
第３面
k=-1.1018
A2=0.0000E+00,A4=-1.8061E-01,A6=4.9979E-02,
A8=0.0000E+00,A10=0.0000E+00
第４面
k=-0.9631
A2=0.0000E+00,A4=5.6067E-01,A6=-6.7675E-01,
A8=0.0000E+00,A10=0.0000E+00
第８面
k=-0.3218
A2=0.0000E+00,A4=5.0666E-03,A6=0.0000E+00,
A8=0.0000E+00,A10=0.0000E+00
第２０面
k=-0.2320
A2=0.0000E+00,A4=-1.6625E-03,A6=0.0000E+00,
A8=0.0000E+00,A10=0.0000E+00
第２３面
k=-0.2320
A2=0.0000E+00,A4=1.6625E-03,A6=0.0000E+00,
A8=0.0000E+00,A10=0.0000E+00
第３３面
k=-0.2320
A2=0.0000E+00,A4=-1.6625E-03,A6=0.0000E+00,
A8=0.0000E+00,A10=0.0000E+00
第３６面
k=-0.2320
A2=0.0000E+00,A4=1.6625E-03,A6=0.0000E+00,
A8=0.0000E+00,A10=0.0000E+00
第４６面
k=-0.2320
A2=0.0000E+00,A4=-1.6625E-03,A6=0.0000E+00,
A8=0.0000E+00,A10=0.0000E+00
第５０面
k=-0.2320
A2=0.0000E+00,A4=1.6625E-03,A6=0.0000E+00,
A8=0.0000E+00,A10=0.0000E+00
各種データ
ＯＢ       16.8199
ＦＯＶ     89.9
ＮＡＩ      0.1258
ＩＨ        1.00
ＩＨtotal   1.022
硝材データ
GLA        587.56   656.27   486.13   435.83   546.07
C2          1.768189 1.765244 1.775956 1.783503 1.770656
C1          1.768999 1.765391 1.777377 1.784102 1.771846
L-LAH53     1.806250 1.800394 1.820103 1.831320 1.810931
ResinA      1.603970 1.597970 1.619090 1.632280 1.608930
S-BAL35     1.589130 1.586188 1.595824 1.601034 1.591429
S-FPL51     1.496999 1.495136 1.501231 1.504507 1.498455
S-FPL55     1.438750 1.437328 1.441963 1.444438 1.439857
S-LAH58     1.882997 1.876560 1.898221 1.910497 1.888146
S-LAH60     1.834000 1.827376 1.849819 1.862781 1.839323
S-NBH55     1.800000 1.792237 1.819043 1.835172 1.806331
S-NBH56     1.854780 1.844876 1.879345 1.900448 1.862904
理想レンズ
配置位置   63（瞳）
焦点距離  7.9592
【０１７８】
数値実施例４
単位  ｍｍ
面データ
面番号      r         d         GLA          nd      νd      ER
物体面     ∞       16.8228               1.
1       ∞        0.2355   C1          1.76900   64.15   1.178U
2       ∞        0.0673               1.                1.178U
3*     1.4961     0.3365   L-LAH53-M   1.80258   40.72   0.858U
4*     0.3268     0.5107               1.                0.538U
5       ∞        1.7664   S-LAH58     1.88300   40.76   1.208U
6       ∞        3.5126   S-LAH58     1.88300   40.76   1.208U
7       ∞        0.5249   S-LAH58-M   1.87933   40.60   1.208U
8*    -2.5674     0.4390               1.                1.208U
9     12.4246     0.7023   S-LAH79     2.00330   28.27   1.208U
10      3.2173     0.8392   S-FPL55     1.43875   94.66   1.208U
11     -3.0361     2.3530               1.                1.208U
12     11.1975     0.4017   S-NBH55     1.80000   29.84   1.262U
13      2.5079     3.4709   S-FPL55     1.43875   94.66   1.262U
14     -4.3535     1.6185               1.                1.262U
15       ∞        1.8875               1.                1.346U
16      5.7712    11.1031   S-BAL35     1.58913   61.14   1.262U
17       ∞        0.2961               1.                1.262U
18*     6.3563     1.0767   S-FPL55-M   1.43747   94.28   1.262U
19     -3.2818     1.3828   S-YGH51     1.75500   52.32   1.262U
20     -6.3604     1.3794               1.                1.236U
21      6.3604     1.3828   S-YGH51     1.75500   52.32   1.262U
22      3.2818     1.0767   S-FPL55-M   1.43747   94.28   1.262U
23*    -6.3563     0.2961               1.                1.262U
24       ∞       11.1031   S-BAL35     1.58913   61.14   1.262U
25     -5.7712     1.8875               1.                1.262U
26       ∞        1.8875               1.                1.346U
27      5.7712    11.1031   S-BAL35     1.58913   61.14   1.262U
28       ∞        0.2961               1.                1.262U
29*     6.3563     1.0767   S-FPL55-M   1.43747   94.28   1.262U
30     -3.2818     1.3828   S-YGH51     1.75500   52.32   1.262U
31     -6.3604     1.3794               1.                1.236U
32      6.3604     1.3828   S-YGH51     1.75500   52.32   1.262U
33      3.2818     1.0767   S-FPL55-M   1.43747   94.28   1.262U
34*    -6.3563     0.2961               1.                1.262U
35       ∞       11.1031   S-BAL35     1.58913   61.14   1.262U
36     -5.7712     1.8875               1.                1.262U
37       ∞        1.8875               1.                1.346U
38      5.7712    11.1031   S-BAL35     1.58913   61.14   1.262U
39       ∞        0.2961               1.                1.262U
40*     6.3563     1.0767   S-FPL55-M   1.43747   94.28   1.262U
41     -3.2818     1.3828   S-YGH51     1.75500   52.32   1.262U
42     -6.3604     0.6897               1.                1.262U
43(絞り) ∞        0.6897               1.                1.113U
44      6.3604     1.3828   S-YGH51     1.75500   52.32   1.262U
45      3.2818     1.0767   S-FPL55-M   1.43747   94.28   1.262U
46*    -6.3563     0.2961               1.                1.262U
47       ∞       11.1031   S-BAL35     1.58913   61.14   1.262U
48     -5.7712     1.8875               1.                1.262U
49       ∞        5.4943               1.                1.682U
50     11.4018     1.5813   S-FPL51     1.49700   81.54   1.682U
51     -7.8704     0.2355               1.                1.682U
52       ∞        0.5047   S-LAH60     1.83400   37.16   1.682U
53      4.4658     3.3646   S-BAL35     1.58913   61.14   1.682U
54     -6.7974     2.0860               1.                1.682U
55       ∞        1.0094   C2          1.76819   71.70   1.514U
56       ∞        3.5328               1.                1.514U
57       ∞        8.1560               1.                1.025
像面       ∞        0.
非球面データ
第３面
k=0.0846
A2=0.0000E+00,A4=-1.8088E-01,A6=2.2653E-02,
A8=0.0000E+00,A10=0.0000E+00
第４面
k=-0.8324
A2=0.0000E+00,A4=1.3905E-01,A6=-1.1893E+00,
A8=0.0000E+00,A10=0.0000E+00
第８面
k=-0.3217
A2=0.0000E+00,A4=5.1401E-03,A6=0.0000E+00,
A8=0.0000E+00,A10=0.0000E+00
第１８面
k=2.0710
A2=0.0000E+00,A4=-1.7948E-03,A6=0.0000E+00,
A8=0.0000E+00,A10=0.0000E+00
第２３面
k=2.0710
A2=0.0000E+00,A4=1.7948E-03,A6=0.0000E+00,
A8=0.0000E+00,A10=0.0000E+00
第２９面
k=2.0710
A2=0.0000E+00,A4=-1.7948E-03,A6=0.0000E+00,
A8=0.0000E+00,A10=0.0000E+00
第３４面
k=2.0710
A2=0.0000E+00,A4=1.7948E-03,A6=0.0000E+00,
A8=0.0000E+00,A10=0.0000E+00
第４０面
k=2.0710
A2=0.0000E+00,A4=-1.7948E-03,A6=0.0000E+00,
A8=0.0000E+00,A10=0.0000E+00
第４６面
k=2.0710
A2=0.0000E+00,A4=1.7948E-03,A6=0.0000E+00,
A8=0.0000E+00,A10=0.0000E+00
各種データ
ＯＢ       16.8228
ＦＯＶ     87.7
ＮＡＩ      0.1259
ＩＨ        1.00
ＩＨtotal   1.022
硝材データ
GLA        587.56   656.27   486.13   435.83   546.07
C2          1.768189 1.765244 1.775956 1.783503 1.770656
C1          1.768999 1.765391 1.777377 1.784102 1.771846
L-LAH53-M   1.802580 1.796720 1.816430 1.827650 1.807260
S-BAL35     1.589130 1.586188 1.595824 1.601034 1.591429
S-FPL51     1.496999 1.495136 1.501231 1.504507 1.498455
S-FPL55-M   1.437470 1.436040 1.440680 1.443150 1.438570
S-FPL55     1.438750 1.437328 1.441963 1.444438 1.439857
S-LAH58-M   1.879330 1.872890 1.894550 1.906830 1.884480
S-LAH58     1.882997 1.876560 1.898221 1.910497 1.888146
S-LAH60     1.834000 1.827376 1.849819 1.862781 1.839323
S-LAH79     2.003300 1.993011 2.028497 2.049716 2.011689
S-NBH55     1.800000 1.792237 1.819043 1.835172 1.806331
S-YGH51     1.754999 1.750624 1.765055 1.772956 1.758437
理想レンズ
配置位置   57（瞳）
焦点距離   7.9572
【０１７９】
数値実施例５
単位  ｍｍ
面データ
面番号      r         d         GLA          nd      νd      ER
物体面     ∞       16.8228               1.
1       ∞        0.2355   C1          1.76900   64.15   1.178U
2       ∞        0.0673               1.                1.178U
3*     1.5751     0.3365   L-LAH53-M   1.80258   40.72   0.858U
4*     0.3404     0.4913               1.                0.538U
5       ∞        1.7664   S-LAH58     1.88300   40.76   1.208U
6       ∞        3.5126   S-LAH58     1.88300   40.76   1.208U
7       ∞        0.5249   S-LAH58-M   1.87933   40.60   1.208U
8*    -2.5087     1.3498               1.                1.208U
9     12.3188     1.0829   S-NPH4      1.89286   20.36   1.208U
10      2.6422     0.8775   S-FPL55     1.43875   94.66   1.208U
11     -3.5420     2.8488               1.                1.208U
12    -11.0472     0.4090   S-TIL6      1.53172   48.84   1.262U
13      2.3950     1.5411   S-LAL18     1.72916   54.68   1.262U
14    -71.6757     1.4837               1.                1.262U
15       ∞        1.8875               1.                1.346U
16      5.7712    11.1031   S-BAL35     1.58913   61.14   1.262U
17       ∞        0.2961               1.                1.262U
18*     6.3563     1.0767   S-FPL55-M   1.43747   94.28   1.262U
19     -3.2818     1.3828   S-YGH51     1.75500   52.32   1.262U
20     -6.3604     1.3794               1.                1.236U
21      6.3604     1.3828   S-YGH51     1.75500   52.32   1.262U
22      3.2818     1.0767   S-FPL55-M   1.43747   94.28   1.262U
23*    -6.3563     0.2961               1.                1.262U
24       ∞       11.1031   S-BAL35     1.58913   61.14   1.262U
25     -5.7712     1.8875               1.                1.262U
26       ∞        1.8875               1.                1.346U
27      5.7712    11.1031   S-BAL35     1.58913   61.14   1.262U
28       ∞        0.2961               1.                1.262U
29*     6.3563     1.0767   S-FPL55-M   1.43747   94.28   1.262U
30     -3.2818     1.3828   S-YGH51     1.75500   52.32   1.262U
31     -6.3604     1.3794               1.                1.236U
32      6.3604     1.3828   S-YGH51     1.75500   52.32   1.262U
33      3.2818     1.0767   S-FPL55-M   1.43747   94.28   1.262U
34*    -6.3563     0.2961               1.                1.262U
35       ∞       11.1031   S-BAL35     1.58913   61.14   1.262U
36     -5.7712     1.8875               1.                1.262U
37       ∞        1.8875               1.                1.346U
38      5.7712    11.1031   S-BAL35     1.58913   61.14   1.262U
39       ∞        0.2961               1.                1.262U
40*     6.3563     1.0767   S-FPL55-M   1.43747   94.28   1.262U
41     -3.2818     1.3828   S-YGH51     1.75500   52.32   1.262U
42     -6.3604     0.6897               1.                1.262U
43(絞り) ∞        0.6897               1.                1.114U
44      6.3604     1.3828   S-YGH51     1.75500   52.32   1.262U
45      3.2818     1.0767   S-FPL55-M   1.43747   94.28   1.262U
46*    -6.3563     0.2961               1.                1.262U
47       ∞       11.1031   S-BAL35     1.58913   61.14   1.262U
48     -5.7712     1.8875               1.                1.262U
49       ∞        5.4943               1.                1.682U
50     11.4018     1.5813   S-FPL51     1.49700   81.54   1.682U
51     -7.8704     0.2355               1.                1.682U
52       ∞        0.5047   S-LAH60     1.83400   37.16   1.682U
53      4.4658     3.3646   S-BAL35     1.58913   61.14   1.682U
54     -6.7974     2.0860               1.                1.682U
55       ∞        1.0094   C2          1.76819   71.70   1.514U
56       ∞        3.5328               1.                1.514U
57       ∞        8.1560               1.                1.025
像面       ∞        0.
非球面データ
第３面
k=-0.1937
A2=0.0000E+00,A4=-1.5432E-01,A6=2.6243E-02,
A8=0.0000E+00,A10=0.0000E+00
第４面
k=-0.8622
A2=0.0000E+00,A4=2.1364E-01,A6=-6.1642E-01,
A8=0.0000E+00,A10=0.0000E+00
第８面
k=-0.4064
A2=0.0000E+00,A4=3.1257E-03,A6=0.0000E+00,
A8=0.0000E+00,A10=0.0000E+00
第１８面
k=2.0710
A2=0.0000E+00,A4=-1.7948E-03,A6=0.0000E+00,
A8=0.0000E+00,A10=0.0000E+00
第２３面
k=2.0710
A2=0.0000E+00,A4=1.7948E-03,A6=0.0000E+00,
A8=0.0000E+00,A10=0.0000E+00
第２９面
k=2.0710
A2=0.0000E+00,A4=-1.7948E-03,A6=0.0000E+00,
A8=0.0000E+00,A10=0.0000E+00
第３４面
k=2.0710
A2=0.0000E+00,A4=1.7948E-03,A6=0.0000E+00,
A8=0.0000E+00,A10=0.0000E+00
第４０面
k=2.0710
A2=0.0000E+00,A4=-1.7948E-03,A6=0.0000E+00,
A8=0.0000E+00,A10=0.0000E+00
第４６面
k=2.0710
A2=0.0000E+00,A4=1.7948E-03,A6=0.0000E+00,
A8=0.0000E+00,A10=0.0000E+00
各種データ
ＯＢ       16.8228
ＦＯＶ     89.6
ＮＡＩ      0.1259
ＩＨ        1.00
ＩＨtotal   1.022
硝材データ
GLA        587.56   656.27   486.13   435.83   546.07
C2          1.768189 1.765244 1.775956 1.783503 1.770656
C1          1.768999 1.765391 1.777377 1.784102 1.771846
L-LAH53-M   1.802580 1.796720 1.816430 1.827650 1.807260
S-BAL35     1.589130 1.586188 1.595824 1.601034 1.591429
S-FPL51     1.496999 1.495136 1.501231 1.504507 1.498455
S-FPL55-M   1.437470 1.436040 1.440680 1.443150 1.438570
S-FPL55     1.438750 1.437328 1.441963 1.444438 1.439857
S-LAH58-M   1.879330 1.872890 1.894550 1.906830 1.884480
S-LAH58     1.882997 1.876560 1.898221 1.910497 1.888146
S-LAH60     1.834000 1.827376 1.849819 1.862781 1.839323
S-LAL18     1.729157 1.725101 1.738436 1.745696 1.732336
S-NPH4      1.892860 1.880484 1.924335 1.952371 1.903144
S-TIL6      1.531717 1.528456 1.539343 1.545473 1.534304
S-YGH51     1.754999 1.750624 1.765055 1.772956 1.758437
理想レンズ
配置位置   57（瞳）
焦点距離   7.9572
【０１８０】
数値実施例６
単位  ｍｍ
面データ
面番号      r         d         GLA          nd      νd      ER
物体面     ∞       16.8189               1.
1       ∞        0.2355   C1          1.76900   64.15   1.177U
2       ∞        0.0673               1.                1.177U
3*     1.7625     0.3364   L-LAH53-M   1.80258   40.72   0.858U
4*     0.3519     0.5066               1.                0.538U
5       ∞        1.7660   S-LAH58     1.88300   40.76   1.208U
6       ∞        3.5118   S-LAH58     1.88300   40.76   1.208U
7       ∞        0.5247   S-LAH58-M   1.87933   40.60   1.208U
8*    -2.6675     1.6091               1.                1.208U
9      6.6660     1.0455   S-NPH4      1.89286   20.36   1.208U
10      2.1779     0.9140   S-FPL55     1.43875   94.66   1.208U
11     -5.1887     1.1148               1.                1.208U
12     10.7718     0.7503   S-BSL7      1.51633   64.14   1.261U
13      2.5437     1.9334   S-FPL55     1.43875   94.66   1.261U
14     -5.7530     2.4894               1.                1.261U
15       ∞        1.7323               1.                1.346U
16      5.7699    11.1004   S-BAL35     1.58913   61.14   1.261U
17       ∞        0.2624               1.                1.261U
18      7.5584     1.0865   S-FPL55     1.43875   94.66   1.261U
19     -2.8266     1.5675   S-YGH51     1.75500   52.32   1.261U
20     -5.4221     1.3656               1.                1.236U
21      5.4221     1.5675   S-YGH51     1.75500   52.32   1.261U
22      2.8266     1.0865   S-FPL55     1.43875   94.66   1.261U
23     -7.5584     0.2624               1.                1.261U
24       ∞       11.1004   S-BAL35     1.58913   61.14   1.261U
25     -5.7699     1.7323               1.                1.261U
26       ∞        1.7323               1.                1.346U
27      5.7699    11.1004   S-BAL35     1.58913   61.14   1.261U
28       ∞        0.2624               1.                1.261U
29      7.5584     1.0865   S-FPL55     1.43875   94.66   1.261U
30     -2.8266     1.5675   S-YGH51     1.75500   52.32   1.261U
31     -5.4221     1.3656               1.                1.236U
32      5.4221     1.5675   S-YGH51     1.75500   52.32   1.261U
33      2.8266     1.0865   S-FPL55     1.43875   94.66   1.261U
34     -7.5584     0.2624               1.                1.261U
35       ∞       11.1004   S-BAL35     1.58913   61.14   1.261U
36     -5.7699     1.7323               1.                1.261U
37       ∞        1.7323               1.                1.346U
38      5.7699    11.1004   S-BAL35     1.58913   61.14   1.261U
39       ∞        0.2624               1.                1.261U
40      7.5584     1.0865   S-FPL55     1.43875   94.66   1.261U
41     -2.8266     1.5675   S-YGH51     1.75500   52.32   1.261U
42     -5.4221     0.6828               1.                1.261U
43(絞り) ∞        0.6828               1.                1.150U
44      5.4221     1.5675   S-YGH51     1.75500   52.32   1.261U
45      2.8266     1.0865   S-FPL55     1.43875   94.66   1.261U
46     -7.5584     0.2624               1.                1.261U
47       ∞       11.1004   S-BAL35     1.58913   61.14   1.261U
48     -5.7699     1.7323               1.                1.261U
49       ∞        5.4930               1.                1.682U
50     11.3991     1.5810   S-FPL51     1.49700   81.54   1.682U
51     -7.8685     0.2355               1.                1.682U
52       ∞        0.5046   S-LAH60     1.83400   37.16   1.682U
53      4.4647     3.3638   S-BAL35     1.58913   61.14   1.682U
54     -6.7958     2.0855               1.                1.682U
55       ∞        1.0091   C2          1.76819   71.70   1.514U
56       ∞        3.5319               1.                1.514U
57       ∞        8.1540               1.                1.023
像面       ∞        0.
第３面
k=-0.3135
A2=0.0000E+00,A4=-1.0093E-01,A6=2.5070E-02,
A8=0.0000E+00,A10=0.0000E+00
第４面
k=-0.7356
A2=0.0000E+00,A4=-7.2706E-02,A6=-1.3322E+00,
A8=0.0000E+00,A10=0.0000E+00
第８面
k=0.0836
A2=0.0000E+00,A4=5.0230E-03,A6=0.0000E+00,
A8=0.0000E+00,A10=0.0000E+00
各種データ
ＯＢ       16.8189
ＦＯＶ     89.9
ＮＡＩ      0.1257
ＩＨ        1.00
ＩＨtotal   1.022
硝材データ
GLA        587.56   656.27   486.13   435.83   546.07
C2          1.768189 1.765244 1.775956 1.783503 1.770656
C1          1.768999 1.765391 1.777377 1.784102 1.771846
L-LAH53-M   1.802580 1.796720 1.816430 1.827650 1.807260
S-BAL35     1.589130 1.586188 1.595824 1.601034 1.591429
S-BSL7      1.516330 1.513855 1.521905 1.526214 1.518251
S-FPL51     1.496999 1.495136 1.501231 1.504507 1.498455
S-FPL55     1.438750 1.437328 1.441963 1.444438 1.439857
S-LAH58-M   1.879330 1.872890 1.894550 1.906830 1.884480
S-LAH58     1.882997 1.876560 1.898221 1.910497 1.888146
S-LAH60     1.834000 1.827376 1.849819 1.862781 1.839323
S-NPH4      1.892860 1.880484 1.924335 1.952371 1.903144
S-YGH51     1.754999 1.750624 1.765055 1.772956 1.758437
理想レンズ
配置位置   57（瞳）
焦点距離   7.9509
【０１８１】
次に、各実施例における条件式の値を以下に掲げる。なお、-（ハイフン）は該当する構成がないことを示す。
実施例１   実施例２   実施例３
(1)|(Flag-FLaC)/FLad|               0.018      0.032      0.045
(2)FLob/FLad                        1.135      1.246      1.555
(3)|FLob/R|                         0.000      0.000      0.000
(4)|{(1-βg)×γg-(1-βC)×γC)}
/{(1-βd)×γd}|   0.023      0.037      0.049
実施例４   実施例５   実施例６
(1)|(Flag-FLaC)/FLad|               0.026      0.005      0.010
(2)FLob/FLad                        1.082      0.917      0.730
(3)|FLob/R|                         0.094      0.094      0.092
(4)|{(1-βg)×γg-(1-βC)×γC)}
/{(1-βd)×γd}|     0.028      0.000      0.002
【０１８２】
各実施例の数値データでは、像高の値を１で正規化して記載している。各実施例に記載の数値データを、例えば、３倍に係数倍し、かつ単位をｍｍとすれば、像高３ｍｍ（イメージサークル６ｍｍ）となる。この場合、各実施例の硬性鏡用光学系は、挿入部の外径が１０ｍｍの腹腔鏡の光学系に好適である。
【０１８３】
硬性鏡の実施例について説明する。図２５は、硬性鏡の概略構成図である。硬性鏡１は、対物光学系２と、像リレーユニット３と、接眼光学系４と、を有する。更に、硬性鏡１は、ライトガイド５と、照明装置光源６と、を有する。
【０１８４】
像リレーユニット３は、第１のリレー光学系３ａと、第２のリレー光学系３ｂと、第３のリレー光学系３ｃと、を有する。３つのリレー光学系には、例えば、実施例１のリレー光学系が用いられている。
【０１８５】
照明装置光源６からは、照明光が出射する。照明光は、ライトガイドを通過して、硬性鏡の先端から出射する。これにより、観察対象物Ｓａに照明光が照射される。
【０１８６】
対物光学系２によって、観察対象物Ｓａの１次像Ｉｏが形成される。１次像Ｉｏは、第１のリレー光学系３ａでリレーされる。これにより、第１のリレー像Ｉ１が形成される。第１のリレー像Ｉ１は、第２のリレー光学系３ｂでリレーされる。これにより、第２のリレー像Ｉ２が形成される。第２のリレー像Ｉ２は、第３のリレー光学系３ｃでリレーされる。これにより、第３のリレー像Ｉ３が形成される。第３のリレー像Ｉ３は、接眼光学系４によって観察することができる。
【産業上の利用可能性】
【０１８７】
以上のように、本発明は、大きな開口数を有しながらも、像倒れの補正に伴って生じる結像性能の劣化が抑えられた対物光学系及びそれを用いた硬性鏡用光学系、硬性鏡に適している。
【符号の説明】
【０１８８】
Ｌ１〜Ｌ２７  レンズ
Ｉｏ  １次像
Ｉ１  第１のリレー像
Ｉ２  第２のリレー像
Ｉ３  第３のリレー像
Ｉ  最終像（像面）
Ｓ  絞り
Ｃ１、Ｃ２  平行平板
Ｐ１、Ｐ２  プリズム
ＯＢＪ  対物光学系
ＯＣ  接眼光学系
ＲＬ１  第１のリレー光学系
ＲＬ２  第２のリレー光学系
ＲＬ３  第３のリレー光学系
１  硬性鏡
２  対物光学系
３  像リレーユニット
３ａ  第１のリレー光学系
３ｂ  第２のリレー光学系
３ｃ  第３のリレー光学系
４  接眼光学系
５  ライトガイド
６  照明装置光源
Ｓａ  観察対象物
【図１】
2019239578.tif 000003
【図２】
2019239578.tif 000004
【図３】
2019239578.tif 000005
【図４】
2019239578.tif 000006
【図５】
2019239578.tif 000007
【図６】
2019239578.tif 000008
【図７】
2019239578.tif 000009
【図８】
2019239578.tif 000010
【図９】
2019239578.tif 000011
【図１０】
2019239578.tif 000012
【図１１】
2019239578.tif 000013
【図１２】
2019239578.tif 000014
【図１３】
2019239578.tif 000015
【図１４】
2019239578.tif 000016
【図１５】
2019239578.tif 000017
【図１６】
2019239578.tif 000018
【図１７】
2019239578.tif 000019
【図１８】
2019239578.tif 000020
【図１９】
2019239578.tif 000021
【図２０】
2019239578.tif 000022
【図２１】
2019239578.tif 000023
【図２２】
2019239578.tif 000024
【図２３】
2019239578.tif 000025
【図２４】
2019239578.tif 000026
【図２５】
2019239578.tif 000027
【国際調査報告】
2019239578.tif 000028
2019239578.tif 000029
2019239578.tif 000030
2019239578.tif 000031